(57)【要約】      （修正有）【課題】履物用に使用される中底で、土踏まず部からかかと部にかけて沿った立体的なアーチ形状の内がわの外側縁に突片が形成されている履物用の中底を提供する。【解決手段】中底１の土踏まず部からかかと部にかけて沿った立体的なアーチ形状の内がわの外側縁に突片を形成する。中底の外側縁５に該中底１の土踏まず部周辺が足接着面中心に向かって内側にせりあがる湾曲部４を形成する。この中底１の上に、天然皮革等の履物中底素材よりなる上層シート６と衝撃吸収体等よりなる中層シート７、スポンジ等の滑り止め材等よりなる下層シート８とを積層する。また、この中底の材質は、レザーボード材、パルプボード材、木材等からも形成可能である。【選択図】図１
0003151489.tif 000002
【実用新案登録請求の範囲】
【請求項１】
履物用に使用される中底において、土踏まず部からかかと部にかけて沿った立体的なアーチ形状の内がわの外側縁に突片が形成されたことを特徴とする履物用の中底。
【請求項２】
前記中底は、足裏に沿ってせりあがる湾曲部が前記アーチ形状の外側縁に形成された請求項１記載の履物用の中底。
【請求項３】
前記中底に、土踏まず部前方で母子球部周辺に滑り止め材を積層させた請求項１記載の履物用の中底。
【請求項４】
前記履物用の中底における中底は、パルプボード材により形成され、土踏まず部位に当たる側縁に突片を形成した請求項１乃至３いずれか記載の履物用の中底。
【請求項５】
前記履物用の中底における中底は、レザーボード材により形成され、土踏まず部位に当たる側縁に前記突片を形成した請求項１乃至３いずれか記載の履物用の中底。
【請求項６】
前記履物用の中底における中底は、木材により形成され、土踏まず部位に当たる内側エッジに前記突片を形成した請求項１乃至３いずれか記載の履物用の中底。
【請求項７】
前記履物用の中底は、天然皮革等の履物中底素材によりなる上層シートと、該上層シートの下に配され衝撃吸収体材等よりなる中層シートと、該中層シート下に配され吸収材等によりなる下層シートと、該下層シート下に土踏まず部からかかと部にかけて沿った立体的なアーチ形状の内側エッジに突片が形成される中底とにより形成されたことを特徴とする請求項１乃至６いずれか記載の履物用の中底。
【考案の詳細な説明】
【技術分野】
【０００１】
本考案は、履物用の中底に係り、土踏まず部からかかと部にかけて沿った立体的なアーチ形状に足裏がフィットするよう形成した履物用の中底に関する。
【背景技術】
【０００２】
従来の履物用の中底は、土踏まずを有する一般的な人間の足を想定し、土踏まずの立体的なアーチ形状を考慮せず爪先からかかとまでフラットな状態で中底を形成していた（特許文献１）。
【０００３】
しかし、現在、あらゆる顧客ニーズに応えるべく、足裏を保護する方法として、土踏まず部に中敷クッションを敷くものや土踏まずサポート等を挿入することがなされている。
【０００４】
現代においては、足の土踏まずを有しない偏平足の人も多数おり、これらの人にとって、前述のような土踏まずを有する一般的な足を想定した履物では、歩くことに苦痛を伴うものもあった。
【０００５】
そして、標準規格の中敷クッションの形状等は土踏まずを有する一般的な人間の足を想定しており、個々人の足に必ずしもフィットするものとは限らず、例えば土踏まずがない偏平足の人が使用するには、不適当であるといえる。
【０００６】
なぜなら、足の形状は、個々人により相違し、更に、体重や脚や膝の構造も個々人により多種多様であるため、土踏まずを有する人を対象とした標準規格の中敷クッションの形状では、使用者全体の満足を得ることは難しいといえる。
【０００７】
特許文献１に記載の履物の中底は、フラットな中底の土踏まずの内側に舌部を突設したものが考案されている。
【０００８】
また、特許文献２に記載の履物の中底は、通常の履物の中底素材よりなる上層シートと弾性及び硬度が大きい樹脂よりなる下層シートを積層した中底材で足底にフィットするよう形成したものが考案されている。
【先行技術文献】
【特許文献】
【０００９】
【特許文献１】実開昭４９−３７１３５公報
【特許文献２】実開昭６４−７８１０公報
【考案の概要】
【考案が解決しようとする課題】
【００１０】
特許文献１においては、履物の中底の土踏まずの内側に突設したものが考案されているが、土踏まずを有する一般的な人間の足を想定しているため、例えば土踏まずを有しない偏平足の足裏にフィットしうるものでない。
【００１１】
そのため、持続的に履物を履いている場合、足の痛みや故障に繋がる人も出てくる可能性がある。
【００１２】
特許文献２においては、通常の履物の中底素材よりなる上層シートと弾性及び硬度が大きい樹脂よりなる下層シートを積層した中底材で足底にフィットするよう形成したものが考案されているが、こちらも土踏まずを有する一般的な人間の足を想定しているため、偏平足の人が使用するには履き心地が悪い可能性がある。
【００１３】
そこで、本考案は、上述の課題を解決すべく創出されたもので、土踏まずを有する一般的な人は勿論、土踏まずがない偏平足の人でも足裏のアーチ形状に沿ってフィットして歩き易いように形成したことを特徴とする履物の中底の提供を目的としたものである。
【課題を解決するための手段】
【００１４】
履物用に使用される中底において、土踏まず部からかかと部にかけて沿った立体的なアーチ形状アーチ形状５の内側エッジに突片が形成したことにある。
【００１５】
中底は、足裏に沿ってせりあがる湾曲部が前記アーチ形状の外側縁に形成されたことにある。
【００１６】
また、中底は、土踏まず部前方で母子球部周辺に滑り止め材を積層させたことにある。
【００１７】
そして、中底は、パルプボード材により形成され、土踏まず部位に当たる内側エッジに突片を形成したことにある。
【００１８】
そして、中底は、レザーボード材により形成され、土踏まず部位に当たる内側エッジに形成したことにある。
【００１９】
加えて、中底における中底は、木材により形成され、土踏まず部位に当たる内側エッジに前記突片を形成したことにある。
【００２０】
前記履物の中底は、天然皮革等の履物中底素材によりなる上層シートと、該上層シートの下に配され衝撃吸収体材等よりなる中層シートと、該中層シート下に配され吸収材等によりなる下層シートと、該下層シート下に土踏まず部からかかと部にかけて沿った立体的なアーチ形状の内側エッジに突片が形成される中底とにより形成したことにある。
【考案の効果】
【００２１】
請求項１の構成により、履物用の中底において、土踏まず部からかかと部にかけて沿った立体的なアーチ形状で土踏まず部内側に突片を形成したことにより、該アーチ形状に足裏がフィットし、歩きやすく、履き心地のよいものを形成することに成功した。
【００２２】
一方で、土踏まず部内側に該土踏まず部位を押圧する突片を形成したことにより偏平足の人であっても比較的履きやすい中底を形成することに成功した。
【００２３】
前述の構成により、土踏まずを有しない人であっても、この突片により当該部分を支えられ、長時間歩きやすい、履き心地のよい中底を形成することに成功した。
【００２４】
尚、前述の足裏の土踏まずの形状に沿ってフィットするようにアーチ形状を形成した中底の構成は、ただその部分を支えるのみならず、足を該中底に載せたときに突片部分が指圧する効果もある。これにより土踏まずのない使用者は指圧を受けた状態で歩く感覚となり、長時間の履き心地だけでなくリラックス効果も導くことに成功した。
【００２５】
また、中底に衝撃吸収体材等があるため、足の形状に合わせて全体がゆっくり沈み込むため、足圧が分散され、底突き感はなく、長時間であっても履き心地感を持続させる。そのため足にリラックスした状態を維持させることを実現した。
【００２６】
そして、人間が歩くときには足裏の母子球部とかかとに交互に足圧をかけることでスムーズな歩きを促すとされている。そのため、前述のとおり土踏まず部内側の突片はその母子球部とかかとの直線上に形成されており、この形成により歩く際のサポート力を促進させることを実現した。
【００２７】
請求項２の構成により、足裏に沿ってせりあがる湾曲部が前記アーチ形状の外側縁に形成されたことにより足裏のホールド感を促進させ、かつ、足裏を中底に定着させた時によりフィット感を促進させることを実現した。
【００２８】
請求項３の構成により、中底の足の母子球部に吸収剤を層着したことにより該部に足の滑り止め効果があることから、前述のように中底がアーチ形状になってかかとが上がった状態になっても、足の母子球部が履物に足を載せた時に滑ることなく固定され、より足を履物の中底にフィットすることに成功した。
【００２９】
当該構成により、歩くときに最も足圧のかかる部分であるとされる母子球部の負担を軽減することに成功した。
【００３０】
請求項４の構成により、請求項２の構成に加え、中底の材質をパルプボードにしたことによりコスト軽減につなげることに成功した。
【００３１】
請求項５の構成により、請求項２の構成に加え、中底の材質をレザーボードにしたことにより選択肢が増え、資材調達を容易にすることに成功した。
【００３２】
請求項６の構成により、請求項２の構成に加え、中底の材質を木材にしたことにより頑強で比較的長い期間履くことを可能とする履物の中底を形成することに成功した。
【００３３】
請求項７の構成により、請求項１乃至５の構成に加え、偏平足の人にフィットする持続的に歩きやすい履物の中底を形成することに成功した。
【図面の簡単な説明】
【００３４】
【図１】本考案履物の中底を示す分解斜視図である。
【図２】図１に示す矢視II-II線端面図である。
【図３】図１に示す矢視III-III線端面図である。
【図４】本考案の各々のシートが積層された状態示す側面図である。
【考案を実施するための形態】
【００３５】
本考案である履物の中底は、土踏まず部からかかと部にかけて沿った立体的なアーチ形状アーチ形状３の内がわの外側縁５に突片２が形成され、かつ、該外側縁５が該中底１の土踏まず部周辺が足接着面中心に向かって内側にせりあがる湾曲部４が形成されることで当初の目的を達成する。
【実施例】
【００３６】
次に、図面に基づいて本考案の実施例を詳細に説明する。本考案中底１は、履物用であるが、例えば、女性用のハイヒールシューズ１０に使用される中底１で、アーチ形状３の内がわの外側縁５に突片２が形成され、この中底１の上に、後述する上層シート６と中層シート７、下層シート８とを積層する。
【００３７】
そして、中底１は、足裏に沿ってせりあがる湾曲部４が該アーチ形状３の外側縁５に形成されている。これにより、足を履物に置いたときに足裏のホールド感を生じさせ、かつ、よりフィット感を創造する。
【００３８】
また、中底１の土踏まず部より前方に位置する母子球部周辺には、滑り止め材９が形成され滑り止め効果があり、女性用のハイヒールシューズ１０を履く場合にはかかとが上がった状態でも足にフィット感を生じさせる。
【００３９】
次に、上層シート６は、履物を履いたときに足に直接接着する部分である。そのため、まず、装飾作用に適した素材である天然皮革等の履物中底素材によりなる。また、この素材は、肌に優しい素材を選択することにより形成する。そして、土踏まず部より前方に位置する母子球部周辺には、滑り止め材９が形成され滑り止め効果があり、例えば、女性用のハイヒールシューズ１０を履く場合には足にフィット感を生じさせる。尚、この上層シートは、母子球部周辺のみのシートであってもよいし、かかと部のみのシートでもよい。
【００４０】
中層シート７は、該上層シート６の下に位置し、衝撃吸収体等により形成され足圧の衝撃を減少させる。尚、この中層シートは、母子球部周辺のみのシートであってもよいし、かかと部のみのシートでもよい。
【００４１】
下層シート８は、中層シート７の下に位置し、スポンジ等の滑り止め材等で形成され、抗菌・防臭性、吸汗・速乾性等に適した素材より形成されている。尚、この下層シートは、母子球部周辺のみのシートであってもよいし、かかと部のみのシートでもよい。
【００４２】
該中底１は、該下層シート８の下に位置し、レザーボード材、パルプボード材、木材等より形成され土踏まず部位に当たる外側縁５に突片２が形成され、かつ、外側縁５が該中底の土踏まず部周辺が足接着面中心に向かって内側にせりあがる湾曲部５が形成されている。（図１及び図４参照）
【００４３】
そして、この中底１は、履物用であるが、例えば、女性用のハイヒールシューズ１０に使用されるもので、土踏まず部からかかと部にかけて沿った立体的なアーチ形状３を設け、足裏にフィットするように形成されている。（図３参照）。
【００４４】
また、この中底の土踏まずより前方に位置する母子球部周辺には、滑り止め材9が積層され、該部分は、足の滑り止め効果があることから、前述のようにアーチ形状３が形成されたハイヒール１１の中底１であっても、母子球部周辺が履物に足を載せた時に滑ることなく固定され、より足を履物の中底にフィットするように形成されている。
【００４５】
また、中底１に土踏まず部位の内側に該土踏まず部位を押圧する突片２が形成されている。そして突片２は、薄くせりあがった状態で形成され土踏まずのない偏平足の人の足をサポートするよう形成されている。また、歩くときに足圧がかかるといわれる足の母子球部とかかと結んだ直線上に形成されていることから例えば偏平足の人でも歩くときの支えとなる。
【００４６】
そして、該中底１は、外側縁５が中底１の足接着面中心に向かって内側にせりあがる湾曲部４が形成されており、より足裏のホールド感を促進させ、かつ、足を中底に定着した時によりフィット感を創造している。（図１及び図２参照）
【００４７】
該中底１は、パルプボード材からも形成可能であり、土踏まず部位に当たる側縁に突片２を形成する。
【００４８】
また、中底１は、レザーボード材からも形成可能であり、前述同様に土踏まず部位に当たる側縁に前記突片２を形成する。
【００４９】
加えて、中底は、木材からも形成可能であり、前述同様土踏まず部位に当たる側縁に前記突片２を形成する。
【符号の説明】
【００５０】
１  中底
２  突片
３  アーチ形状
４  湾曲部
５  外側縁
６  上層シート
７  中層シート
８  下層シート
９  滑り止め材
１０  ハイヒールシューズ
１１  ハイヒール
【図１】
0003151489.tif 000003
【図２】
0003151489.tif 000004
【図３】
0003151489.tif 000005
【図４】
0003151489.tif 000006